(57)【要約】【課題】縦方向の自由度を確保しながら、最適な視認位置からずれた場合に発生するモアレの印象を低減することができる立体表示装置を提供することを、目的とする。【解決手段】立体表示装置１０は、表示パネル１２と、視差バリア４２とを備える。表示パネル１２は、複数の画素５０を有し、立体視用画像を表示する。視差バリア４２は、表示パネル１２の厚さ方向一方側に配置され、透過部４８と遮光部４６とが交互に並ぶ。遮光部４６と透過部４８とが交互に並ぶ方向を第１方向とし、遮光部４６の長手方向を第２方向とした場合に、第１方向で隣り合う２つの画素５０の間には、第２方向に延びる境界部５２が存在する。遮光部４６における第１方向の端縁３８１，３８２が、第２方向に延びる基準線Ｌに対して交差する部分を有するとともに、第２方向において特定の周期で変化する。【選択図】図４
2015034834.tif 000002
【特許請求の範囲】
【請求項１】
複数の画素を有し、立体視用画像を表示する表示パネルと、
前記表示パネルの厚さ方向一方側に配置され、透過部と遮光部とが交互に並ぶ視差バリアとを備え、
前記遮光部と前記透過部とが交互に並ぶ方向を第１方向とし、
前記遮光部の長手方向を第２方向とした場合に、
前記第１方向で隣り合う２つの前記画素の間には、前記第２方向に延びる境界部が存在し、
前記遮光部における前記第１方向の端縁が、前記第２方向に延びる基準線に対して交差する部分を有するとともに、前記第２方向において特定の周期で変化する、立体表示装置。
【請求項２】
請求項１に記載の立体表示装置であって、
前記画素は、複数のサブ画素を有し、
前記複数のサブ画素は、前記第２方向に並んでおり、
前記特定の周期が、前記第２方向における前記サブ画素の配設ピッチ以下である、立体表示装置。
【請求項３】
請求項１又は２に記載の立体表示装置であって、
前記遮光部における前記第１方向の端縁が、前記基準線に対して傾斜した方向に延びる直線を有する、立体表示装置。
【請求項４】
請求項１〜３の何れか１項に記載の立体表示装置であって、
前記遮光部における前記第１方向の端縁が、前記第２方向に延びる波線である、立体表示装置。
【請求項５】
請求項１〜４の何れか１項に記載の立体表示装置であって、
前記表示パネルの厚さ方向一方の側に配置されるスイッチ液晶パネルをさらに備え、
前記スイッチ液晶パネルは、
一対の基板と、
前記一対の基板間に封入される液晶層と、
一方の基板に形成された共通電極と、
他方の基板に複数形成され、電圧が印加されたときに前記共通電極とともに前記遮光部を実現する駆動電極とを備える、立体表示装置。
【請求項６】
複数の画素を有し、立体視用画像を表示する表示パネルと、
前記表示パネルの厚さ方向一方側に配置され、前記表示パネルの面方向に複数のシリンドリカルレンズが並ぶレンチキュラーレンズとを備え、
前記複数のシリンドリカルレンズが並ぶ方向を第１方向とし、
前記シリンドリカルレンズの長手方向を第２方向とした場合に、
前記第１方向で隣り合う２つの前記画素の間には、前記第２方向に延びる境界部が存在し、
前記シリンドリカルレンズにおける前記第１方向の端縁が、前記第２方向に延びる基準線に対して交差する部分を有するとともに、前記第２方向において特定の周期で変化する、立体表示装置。
【発明の詳細な説明】
【技術分野】
【０００１】
本発明は、立体表示装置においてモアレの印象を低減させるための構成に関する。
【背景技術】
【０００２】
従来から、特殊なメガネを使用せずに、観察者に立体画像を見せる方法として、視差バリア方式が知られている。視差バリア方式の立体表示装置は、例えば、表示パネルと、スイッチ液晶パネルとを備える。表示パネルは、立体視用画像を表示する。スイッチ液晶パネルは、視差バリアを実現できる。視差バリアは、光を透過させる開口と、光を遮断する遮光部とを有する。視差バリアにおいては、開口と遮光部とが交互に並んでいる。
【０００３】
視差バリア方式の２視点の立体表示装置において、観察者は、最適な視認位置において、表示パネルに表示される立体視用画像を見る必要があるが、最適な視認位置からずれた位置で観察すると、表示パネルの遮光部分（例えば、ブラックマトリクス）に起因するモアレが画面内に発生し、良好な表示品位が得られない。
【０００４】
なお、特開２００４−１５７４１１号公報には、映像表示装置においてモアレの印象を低減させるための構成が開示されている。この映像表示装置は、画面に表示された互いに異なる映像を分離する開口を備える。開口の輪郭線には、画素の輪郭線に対して非平行となる斜め線部が存在する。
【０００５】
しかしながら、上記公報に記載の映像表示装置では、画面の縦方向において、遮光部（開口）が連続して形成されていない。そのため、観察者が縦方向に頭を振って（視線を移動させて）立体映像を見る場合において、すぐにクロストークが発生してしまい、立体表示を良好に確認できる領域（以下、自由度）が低下するという問題がある。
【先行技術文献】
【特許文献】
【０００６】
【特許文献１】特開２００４−１５７４１１号公報
【発明の概要】
【発明が解決しようとする課題】
【０００７】
本発明の目的は、縦方向の自由度を確保しながら、最適な視認位置からずれた場合に発生するモアレの印象を低減することができる立体表示装置を提供することにある。
【課題を解決するための手段】
【０００８】
本発明の立体表示装置は、複数の画素を有し、立体視用画像を表示する表示パネルと、前記表示パネルの厚さ方向一方側に配置され、透過部と遮光部とが交互に並ぶ視差バリアとを備え、前記遮光部と前記透過部とが交互に並ぶ方向を第１方向とし、前記遮光部の長手方向を第２方向とした場合に、前記第１方向で隣り合う２つの前記画素の間には、前記第２方向に延びる境界部が存在し、前記遮光部における前記第１方向の端縁が、前記第２方向に延びる基準線に対して交差する部分を有するとともに、前記第２方向において特定の周期で変化する。
【発明の効果】
【０００９】
本発明の立体表示装置においては、縦方向の自由度を確保しながら、最適な視認位置からずれた場合に発生するモアレの印象を低減することができる。
【図面の簡単な説明】
【００１０】
【図１】図１は、本発明の実施形態としての立体表示装置の概略構成の一例を示す模式図である。
【図２】図２は、スイッチ液晶パネルの概略構成の一例を示す断面図である。
【図３】図３は、スイッチ液晶パネルの概略構成の一例を示す断面図であって、視差バリアが実現された状態を示す断面図である。
【図４】図４は、駆動電極の端縁と境界部の端縁との関係を示す平面図である。
【図５】図５は、駆動電極を示す平面図である。
【図６】図６は、サブ画素の開口領域内に遮蔽領域が存在することを示す平面図である。
【図７】図７は、従来の構成を採用した場合のモアレを示す平面図である。
【図８】図８は、従来の構成の駆動電極と画素との位置関係を示す平面図である。
【図９】図９は、本実施形態の構成を採用した場合のモアレを示す平面図である。
【図１０】図１０は、本実施形態の応用例１における駆動電極の端縁と境界部の端縁との関係を示す平面図である。
【図１１】図１１は、本実施形態の応用例２における駆動電極の端縁と境界部の端縁との関係を示す平面図である。
【図１２】図１２は、本実施形態の応用例３における駆動電極の端縁と境界部の端縁との関係を示す平面図である。
【図１３】図１３は、本実施形態の応用例４における駆動電極の端縁の形状を示す平面図である。
【図１４】図１４は、本実施形態の応用例５における駆動電極の端縁の形状を示す平面図である。
【図１５】図１５は、本発明の実施形態としての立体表示装置に採用可能なレンチキュラーレンズを示す平面図である。
【発明を実施するための形態】
【００１１】
本発明の一実施形態に係る立体表示装置は、複数の画素を有し、立体視用画像を表示する表示パネルと、前記表示パネルの厚さ方向一方側に配置され、透過部と遮光部とが交互に並ぶ視差バリアとを備え、前記遮光部と前記透過部とが交互に並ぶ方向を第１方向とし、前記遮光部の長手方向を第２方向とした場合に、前記第１方向で隣り合う２つの前記画素の間には、前記第２方向に延びる境界部が存在し、前記遮光部における前記第１方向の端縁が、前記第２方向に延びる基準線に対して交差する部分を有するとともに、前記第２方向において特定の周期で変化する（第１の構成）。
【００１２】
第１の構成においては、境界部における第１方向の端縁と、遮光部における第１方向の端縁とが、非平行になる。そのため、立体視用画像を見るのに最適な位置から観察者がずれた場合に発生するモアレの印象を低減させることができる。
【００１３】
第２の構成は、第１の構成において、前記画素は、複数のサブ画素を有し、前記複数のサブ画素は、前記第２方向に並んでおり、前記特定の周期が、前記第２方向における前記サブ画素の配設ピッチ以下である。このような構成においては、例えば、サブ画素の配設ピッチが５０μｍ以上の解像度が低い表示パネルに立体視用画像を表示する場合において、立体視用画像を見るのに最適な位置から観察者がずれた場合に発生するモアレの印象を低減させることができる。サブ画素の配設ピッチが５０μｍ以上の解像度が低い表示パネルにおいて、遮光部の第１方向の端縁が第２方向で変化する周期がサブ画素の配設ピッチの２つ分である場合、立体表示の際に、視点が切り替わる位置で、横方向（第１方向）に黒い筋が発生するのを回避できる。この黒い筋は、サブ画素とバリア形状の関係がサブ画素単位で異なった場合、モアレの発生する位置がサブ画素ごとに異なることに起因して発生する。この黒い筋は、サブ画素の配設ピッチが小さければ（例えば、５０μｍ以下）視認できないが、サブ画素の配設ピッチが大きくなると視認され易くなり、表示品位を損なう。
【００１４】
第３の構成は、第１又は第２の構成において、前記遮光部における前記第１方向の端縁が、前記基準線に対して傾斜した方向に延びる直線を有する。このような構成においても、モアレの印象を低減させることができる。
【００１５】
第４の構成は、第１又は第２の構成において、前記遮光部における前記第１方向の端縁が、前記第２方向に延びる波線である。このような構成においても、モアレの印象を低減させることができる。
【００１６】
第５の構成は、第１〜第４の構成の何れか１つにおいて、前記表示パネルの厚さ方向一方の側に配置されるスイッチ液晶パネルをさらに備え、前記スイッチ液晶パネルは、一対の基板と、前記一対の基板間に封入される液晶層と、一方の基板に形成された共通電極と、他方の基板に複数形成され、電圧が印加されたときに前記共通電極とともに前記遮光部を実現する駆動電極とを備える。このような構成においては、表示パネルに２次元画像を表示し、スイッチ液晶パネルにおいて視差バリアを実現しなければ、２次元画像を観察者に見せることができるため、２Ｄ表示（平面画像表示）と３Ｄ表示（立体画像表示）とを切り替えることができる。
【００１７】
本発明の他の実施形態に係る立体表示装置は、複数の画素を有し、立体視用画像を表示する表示パネルと、前記表示パネルの厚さ方向一方側に配置され、前記表示パネルの面方向に複数のシリンドリカルレンズが並ぶレンチキュラーレンズとを備え、前記複数のシリンドリカルレンズが並ぶ方向を第１方向とし、前記シリンドリカルレンズの長手方向を第２方向とした場合に、前記第１方向で隣り合う２つの前記画素の間には、前記第２方向に延びる境界部が存在し、前記シリンドリカルレンズにおける前記第１方向の端縁が、前記第２方向に延びる基準線に対して交差する部分を有するとともに、前記第２方向において特定の周期で変化する。
【００１８】
このような構成においては、境界部における第１方向の端縁と、遮光部における第１方向の端縁とが、平行でない。そのため、立体視用画像を見るのに最適な位置から観察者がずれた場合に発生するモアレの印象を低減できるうえ、視差バリアと同様に、シリンドリカルレンズの稜線が巨視的に見た場合に基準線に対して平行であるため、第２方向の自由度を損なうこともない。
【００１９】
以下、本発明のより具体的な実施形態について、図面を参照しながら説明する。図中同一または相当部分には同一符号を付してその説明は繰り返さない。なお、以下で参照する図面においては、説明を分かりやすくするために、構成が簡略化または模式化して示されたり、一部の構成部材が省略されたりしている。また、各図に示された構成部材間の寸法比は、必ずしも実際の寸法比を示すものではない。
【００２０】
［実施形態］
図１には、本発明の一実施形態としての立体表示装置１０が示されている。立体表示装置１０は、表示パネル１２と、スイッチ液晶パネル１４と、偏光板１６，１８，２０とを備える。
【００２１】
表示パネル１２は、液晶パネルである。表示パネル１２は、アクティブマトリクス基板２２と、対向基板２４と、これらの基板２２，２４の間に封入された液晶層２６とを備える。表示パネル１２において、液晶の動作モードは任意である。
【００２２】
表示パネル１２の厚さ方向一方側には、スイッチ液晶パネル１４が配置されている。図３に示すように、スイッチ液晶パネル１４は、一対の基板２８，３０と、液晶層３２とを備える。
【００２３】
一方の基板２８は、例えば、低アルカリガラス基板等である。一方の基板２８には、共通電極３４が形成されている。
【００２４】
共通電極３４は、例えば、インジウム酸化錫膜（ＩＴＯ膜）等の透明な導電膜である。共通電極３４は、一方の基板２８の略全面に形成されている。
【００２５】
共通電極３４は、配向膜３６で覆われている。配向膜３６は、例えば、ポリイミド樹脂膜である。
【００２６】
他方の基板３０は、例えば、低アルカリガラス基板等である。他方の基板３０には、複数の駆動電極３８が形成されている。
【００２７】
駆動電極３８は、例えば、インジウム酸化錫膜（ＩＴＯ膜）等の透明な導電膜である。駆動電極３８は、他方の基板３０の縦方向に略一定の幅寸法で延びている。
【００２８】
複数の駆動電極３８は、他方の基板３０の横方向に並んでいる。駆動電極３８の配設ピッチは、一定である。駆動電極３８の配設ピッチは、表示パネル１２の横方向における画素５０（図４参照）の配設ピッチよりも短い。
【００２９】
複数の駆動電極３８は、配向膜４０で覆われている。配向膜４０は、例えば、ポリイミド樹脂膜である。
【００３０】
液晶層３２は、一対の基板２８，３０間に封入されている。スイッチ液晶パネル１４において、液晶の動作モードは、ノーマリーホワイトのＴＮモードである。
【００３１】
偏光板１６は、スイッチ液晶パネル１４の厚さ方向一方側に配置されている。偏光板１８は、スイッチ液晶パネル１４と表示パネル１２との間に配置されている。偏光板２０は、表示パネル１２の厚さ方向他方側に配置されている。
【００３２】
立体表示装置１０においては、視差バリアがスイッチ液晶パネル１４に実現される。図３を参照しながら、視差バリア４２について説明する。
【００３３】
視差バリア４２を実現する場合、駆動電極３８と共通電極３４とを異なる電位にする。これにより、駆動電極３８と共通電極３４との間に存在する液晶分子４４の向きが変化する。そのため、液晶層３２において、駆動電極３８と共通電極３４との間に位置する部分が遮光部４６として機能し、隣り合う２つの遮光部４６の間が透過部４８として機能する。その結果、液晶層３２において、遮光部４６と透過部４８とが交互に並ぶ視差バリア４２が実現される。
【００３４】
スイッチ液晶パネル１４において視差バリア４２を実現するときに、各電極３４，３８に電圧を印加する方法としては、例えば、駆動電極３８に印加する電圧と、共通電極３４に印加する電圧とを逆位相にする方法であってもよいし、駆動電極３８に電圧を印加するとともに、共通電極３４を接地する方法であってもよいし、駆動電極３８を接地し、共通電極３４に電圧を印加してもよい。印加する電圧としては、例えば、５Ｖの矩形波等がある。
【００３５】
ここで、複数の駆動電極３８が並ぶ方向を第１方向とし、駆動電極３８の長手方向を第２方向とする。図４に示すように、駆動電極３８における第１方向の端縁３８１，３８２と、表示パネル１２が備える画素５０の境界部５２における第１方向の端縁５２１，５２２とは、非平行である。
【００３６】
表示パネル１２は、図４に示すように、複数の画素５０を備える。複数の画素５０は、例えば、マトリクス状に配置されている。
【００３７】
表示パネル１２においては、観察者の右眼に映る画像（右眼用画像）を表示する画素５０（５０Ｒ）の列と、観察者の左眼に映る画像（左眼用画像）を表示する画素５０（５０Ｌ）の列とが、表示パネル１２の横方向に交互に配置されている。換言すれば、右眼用画像と左眼用画像が、それぞれ、画素列毎に（ストライプ状に）分割される。そして、これらストライプ状に分割された右眼用画像及び左眼用画像を交互に並べた合成画像が、表示パネル１２に表示される。このとき、視差バリア４２がスイッチ液晶パネル１４に実現されていれば、観察者の右眼には右眼用画像のみが届き、観察者の左眼には左眼用画像のみが届く。その結果、観察者は、特殊なメガネを使用せずに、立体画像を見ることができる。なお、視差バリア４２がスイッチ液晶パネル１４に実現されていないときに、表示パネル１２に平面画像を表示すれば、平面画像を観察者に見せることができる。
【００３８】
ここで、画素５０は、図４に示すように、３つのサブ画素５４Ｒ，５４Ｇ，５４Ｂを備える。３つのサブ画素５４Ｒ，５４Ｇ，５４Ｂは、第２方向（表示パネル１２の縦方向）に並んでいる。
【００３９】
第１方向（表示パネル１２の横方向）で隣り合う２つの画素５０の間には、境界部５２が存在する。境界部５２は、例えば、ブラックマトリクスである。
【００４０】
境界部５２は、第２方向に略一定の幅寸法で延びている。境界部５２における第１方向の各端縁５２１，５２２は、第２方向に延びる直線である。
【００４１】
なお、第２方向で隣り合う２つのサブ画素の間には、境界部５６が存在する。境界部５６は、例えば、ブラックマトリクスである。境界部５６は、境界部５２と連続して形成されている。
【００４２】
駆動電極３８は、図４に示すように、第２方向に延びている。駆動電極３８の各端縁３８１，３８２は、第１傾斜辺５８と、第２傾斜辺６０とを有する。
【００４３】
図５に示すように、第１傾斜辺５８は、第２方向に延びる基準線Ｌに対して傾斜した直線である。第１傾斜辺５８の基準線Ｌに対する傾斜角度α１は、例えば、５°〜２０°である。第１傾斜辺５８における第２方向の長さは、第２方向におけるサブ画素の配設ピッチと同じである。
【００４４】
第２傾斜辺６０は、基準線Ｌに対して第１傾斜辺５８とは異なる方向に傾斜した直線である。第２傾斜辺６０は、第１傾斜辺５８とは反対側に傾斜している。第２傾斜辺６０の基準線Ｌに対する傾斜角度α２は、例えば、５°〜２０°である。図４，５に示す例では、傾斜角度α１と傾斜角度α２は同じ大きさである。第２傾斜辺６０における第２方向の長さは、第２方向におけるサブ画素の配設ピッチと同じである。
【００４５】
第１傾斜辺５８と第２傾斜辺６０は、第２方向において交互に並んでいる。これにより、駆動電極３８の各端縁３８１，３８２は、第２方向において特定の周期で変化する。このように、駆動電極３８は、各端縁３８１，３８２が第２方向において特定の周期で変化しているが、巨視的に見ると、第２方向に延びる基準線Ｌに平行である。
【００４６】
駆動電極３８において、一方の端縁３８１における第１傾斜辺５８と、他方の端縁３８２における第１傾斜辺５８とは、駆動電極３８の長さ方向（第２方向）で同じ位置に存在する。
【００４７】
駆動電極３８において、一方の端縁３８１における第２傾斜辺６０と、他方の端縁３８１における第２傾斜辺６０とは、第２方向で同じ位置に存在する。
【００４８】
これにより、駆動電極３８の端縁３８１，３８２は、第２方向において周期的に変化するが、駆動電極３８の幅（第１方向の長さ）は、第２方向において略一定になる。換言すれば、隣り合う２つの駆動電極３８の間（透過部４８に相当する部分）の寸法が、第２方向において略一定になる。その結果、第２方向において輝度が変化し難くなる。また、遮光部４６が第２方向に略一定の幅寸法で延びているので、従来のストライプ形状の視差バリアが有する遮光特性を維持できる。
【００４９】
立体表示装置１０においては、境界部５２の端縁５２１，５２２と、駆動電極３８の端縁３８１，３８２とが平行でない。そのため、最適な視認位置から観察者がずれた場合に発生するモアレの印象を抑えることができる。
【００５０】
ここで、例えば、図６に示すように、サブ画素５４の開口領域５４１に遮蔽領域５４２が存在する場合を考える。この場合、遮蔽領域５４２に起因するモアレが発生する。しかしながら、遮蔽領域５４２の端縁と、駆動電極３８の端縁３８１，３８２とが非平行であれば、遮蔽領域５４２に起因して発生するモアレの印象が抑えられる。なお、遮蔽領域５４２は、例えば、蓄積コンデンサの電極、液晶層２６の厚さを規定するリブ等である。
【００５１】
図７は、従来の構成を採用した場合に発生するモアレ（一点鎖線で囲んだ部分）を示す。従来の構成とは、図８に示すように、境界部５２における第１方向の端縁５２１，５２２と、駆動電極３８における第１方向の端縁３８１，３８２とが、平行になっている構成である。図９は、本実施形態の構成を採用した場合に発生するモアレ（一点鎖線で囲んだ部分）を示す。
【００５２】
図７，９に示すモアレは、以下のようにして、撮影した。先ず、スイッチ液晶パネルにおいて視差バリアを実現した。この状態で、表示パネルが備える全ての画素を白表示した。このときの輝度分布を色彩輝度計で撮影した。図７，９では、輝度が高いと白く表示され、輝度が低いと黒く表示された。なお、図７，９に示すモアレを撮影したとき、表示パネルが備えるサブ画素の開口領域には、図６に示すような遮蔽領域が存在していた。
【００５３】
図７では、サブ画素の開口領域内に存在する遮蔽領域の形状がそのまま反映されている。そのため、モアレの数が多くなる。その結果、最適位置以外から観察する場合において、モアレが視認され易くなる。一方、図９では、輝度のプロファイルがブロード化されている。つまり、サブ画素の開口領域内に存在する遮蔽領域の形状がそのまま反映されない。そのため、モアレの印象が薄くなる。換言すれば、モアレが視認し難くなる。
【００５４】
［実施形態の応用例１］
駆動電極３８の端縁３８１，３８２が変化する周期は、上記実施形態のように、サブ画素５４Ｒ，５４Ｇ，５４Ｂの配設ピッチ２つ分に限定されない。例えば、図１０に示すように、駆動電極３８の端縁３８１，３８２が変化する周期は、サブ画素５４Ｒ，５４Ｇ，５４Ｂの配設ピッチ１つ分であってもよい。このようにすると、例えば、サブ画素５４Ｒ，５４Ｇ，５４Ｂの配設ピッチが５０μｍ以上の解像度が低い表示パネル１２に立体視用画像を表示する場合において、視点が切り替わる位置で横方向に延びる黒い線が見えるのを抑制できる。
【００５５】
［実施形態の応用例２］
例えば、図１１に示すように、隣り合う２つの駆動電極３６が左右対称（線対称）であってもよい。なお、図１１に示す例では、駆動電極３８の端縁３８１，３８２が変化する周期は、サブ画素５４Ｒ，５４Ｇ，５４Ｂの配設ピッチ１つ分である。
【００５６】
［実施形態の応用例３］
例えば、図１２に示すように、駆動電極３８の端縁３８１，３８２は、第１傾斜辺５８と、水平辺６２とを有する。水平辺６２は、複数の駆動電極３８が並ぶ方向に延びている。水平辺６２は、２つの第１傾斜辺５８の端部同士を接続する。
【００５７】
［実施形態の応用例４］
第１傾斜辺５８における第２方向の長さと、第２傾斜辺６０における第２方向の長さとは、上記実施形態のように、同じである必要はない。例えば、図１３に示すように、第１傾斜辺５８における第２方向の長さと、第２傾斜辺６０における第２方向の長さとが異なっていてもよい。
【００５８】
［実施形態の応用例５］
例えば、図１４に示すように、駆動電極３８の端縁３８１，３８２は、第２方向に延びる波線であってもよい。
【００５９】
［実施形態の応用例６］
立体表示装置は、図１５に示すように、スイッチ液晶パネルの代わりに、レンチキュラーレンズ６４を備えていてもよい。レンチキュラーレンズ６４は、表示パネルの厚さ方向一方側（観察者側）に配置される。レンチキュラーレンズ６４は、複数のシリンドリカルレンズ６６を有する。複数のシリンドリカルレンズ６６は、表示パネルの横方向に一列に並んでいる。各シリンドリカルレンズ６６の端縁６６１，６６２が、画素の境界部の端縁と非平行になっている。このようなレンチキュラーレンズを採用する場合であっても、モアレが発生し難くなる。
【００６０】
［実施形態の応用例７］
例えば、透過部４８の開口幅を画素５０（サブ画素５４Ｒ，５４Ｇ，５４Ｂ）の開口幅（複数の駆動電極３８が並ぶ方向の開口幅）よりも大きくすれば、透過部４８に疑似的なレンズが形成される。この場合、透過部４８に集光効果が発現される。その結果、３Ｄ表示の際の輝度が向上する。
【００６１】
［実施形態の応用例８］
立体表示装置は、例えば、縦横対応の立体表示装置であってもよい。この場合、スイッチ液晶パネルは、ランドスケープ表示のときの視差バリアと、ポートレート表示のときの視差バリアとを実現する。
【００６２】
以上、本発明の実施形態について、詳述してきたが、これらはあくまでも例示であって、本発明は、上述の実施形態によって、何等、限定されない。
【００６３】
例えば、前記実施形態において、表示パネル１２は、プラズマディスプレイパネル、有機ＥＬ（Electro Luminescence）パネル、無機ＥＬパネル等であっても良い。
【００６４】
スイッチ液晶パネルは必ずしも必要ではない。例えば、表示パネルの厚さ方向一方の面側に視差バリアを備えていてもよい。
【符号の説明】
【００６５】
１０：立体表示装置、１２：表示パネル、１４：スイッチ液晶パネル、２８：一方の基板、３０：他方の基板、３２：液晶層、３４：共通電極、３８：駆動電極、３８１：端縁、３８２：端縁、４２：視差バリア、４６：遮光部、４８：透過部、５０：画素、５２：境界部、５２１：端縁、５２２：端縁、５４Ｒ：サブ画素、５４Ｇ：サブ画素、５４Ｂ：サブ画素、５８：第１傾斜辺、６０：第２傾斜辺
【図１】
2015034834.tif 000003
【図２】
2015034834.tif 000004
【図３】
2015034834.tif 000005
【図４】
2015034834.tif 000006
【図５】
2015034834.tif 000007
【図６】
2015034834.tif 000008
【図８】
2015034834.tif 000009
【図１０】
2015034834.tif 000010
【図１１】
2015034834.tif 000011
【図１２】
2015034834.tif 000012
【図１３】
2015034834.tif 000013
【図１４】
2015034834.tif 000014
【図１５】
2015034834.tif 000015
【図７】
2015034834.tif 000016
【図９】
2015034834.tif 000017